(57)【特許請求の範囲】
【請求項１】
フード体１内に送風機２を取付け、この送風機２の吐出口３をフード体１の排気口５に連続したレンジフードにおいて、
前記送風機２のケーシング１０を、ファン１４を設けるファン収納部１０ａとこのファン収納部１０ａと連続して吐出口３を形成する吐出口部１０ｂで形成し、この吐出口部１０ｂにシャッター７を、自重で下向きの全閉姿勢となると共に、送風機２の吐出空気で上向きの全開姿勢となるように取付け、
前記シャッター７の一側表面に第１突起部１９を設け、シャッター７の他側表面に第２突起部２０を設け、シャッター７が全開姿勢の時に第１突起部１９がケーシング１０の内面に接してシャッター７は排気口５に突出しないようにし、シャッター７が全閉姿勢の時に第２突起部２０がケーシング１０の内面に接するようにしたことを特徴とするレンジフード。
【請求項２】
前記第１突起部１９を弾性変形するものとし、シャッター７が吐出空気で全開姿勢となった時には第１突起部１９が圧縮弾性変形してシャッター７がケーシング１０内面とほぼ平行となり、第１突起部１９が弾性復元した時にはシャッター７がケーシング１０内面と平行に対して斜めとなるようにした請求項１記載のレンジフード。
【発明の詳細な説明】
【０００１】
【発明の属する技術分野】
本発明は、調理時に発生する煙り、湯気、臭気、油分等を捕集して屋外に排出するレンジフードに関する。
【０００２】
【従来の技術】
レンジフードは図１に示すように、フード体１内に送風機２を取付け、その送風機２の吐出口３をフード体１の天板４に形成した排気口５に接続し、その排気口５を排気ダクト６で屋外に連通し、前記排気口５にシャッター７を取付けたものが知られている。フード体１は前部フード体１ａと後部フード体１ｂで下面を開口した箱状としてある。
【０００３】
このレンジフードであれば、送風機２の吐出した空気の風圧でシャッター７が開作動し、送風機２を停止するとシャッター７が自重で閉作動するので、送風機２を停止している時に強風等によって外気が排気ダクト６を通って送風機２内に入り込むことが防止できる。
【０００４】
【発明が解決しようとする課題】
排気ダクト６としてアルミ製のジャバラダクトなどの不定形で任意形状に弯曲するダクトを使用した場合に、ダクトスペースの問題等によって排気ダクト６を図１に示すように、排気口５部分から極端に曲げて取付けることがある。
【０００５】
この場合には、図１に仮想線で示すようにシャッター７が排気ダクト６に当って全開状態にならないことがある。
【０００６】
また、排気ダクト６は図１に示すように排気口５に取付けた接続用フランジ８に嵌め込み、アルミテープを巻いて接続されるが、前述のジャバラダクトの場合にはアルミテープを巻いただけでは接着面が少ないので固定が不十分である。このために、図２に示すように排気ダクト６を接続用フランジ８に嵌め込んだ後にタッピングビス９で固定し、その後にアルミテープを巻いて固定している。
【０００７】
このために、タッピングビス９の先端部９ａが接続用フランジ８の内面に突出し、シャッター７がそのタッピングビス９の先端部９ａに当って全開状態にならないことがある。
【０００８】
前述のように、シャッター７が全開状態にならないと、その部分を空気が流通する際の抵抗が非常に大きくなり、十分な排気がなされなし、送風機２の回転数が増加し騒音や振動が増大する弊害が生じてしまうので、好ましくない。
【０００９】
そこで、本発明は前述の課題を解決できるようにしたレンジフードを提供することを目的とする。
【００１０】
【課題を解決するための手段】
第１の発明は、フード体１内に送風機２を取付け、この送風機２の吐出口３をフード体１の排気口５に連続したレンジフードにおいて、
前記送風機２のケーシング１０を、ファン１４を設けるファン収納部１０ａとこのファン収納部１０ａと連続して吐出口３を形成する吐出口部１０ｂで形成し、この吐出口部１０ｂにシャッター７を、自重で下向きの全閉姿勢となると共に、送風機２の吐出空気で上向きの全開姿勢となるように取付け、
前記シャッター７の一側表面に第１突起部１９を設け、シャッター７の他側表面に第２突起部２０を設け、シャッター７が全開姿勢の時に第１突起部１９がケーシング１０の内面に接してシャッター７は排気口５に突出しないようにし、シャッター７が全閉姿勢の時に第２突起部２０がケーシング１０の内面に接するようにしたことを特徴とするレンジフードである。
【００１３】
第２の発明は、第１の発明における前記第１突起部１９を弾性変形するものとし、シャッター７が吐出空気で全開姿勢となった時には第１突起部１９が圧縮弾性変形してシャッター７がケーシング１０内面とほぼ平行となり、第１突起部１９が弾性復元した時にはシャッター７がケーシング１０内面と平行に対して斜めとなるようにしたレンジフードである。
【００１４】
【作    用】
第１の発明によれば、シャッター７が送風機２のケーシング１０に取付けてあるから、そのシャッター７が全開姿勢となった時に排気ダクト接続部に突出することがない。
【００１５】
これにより、排気ダクトを極端に曲げて取付けてもシャッター７が排気ダクトに干渉することがないし、排気ダクトの接続用のタッピングネジの先端部とシャッター７が干渉することがない。
【００１６】
したがって、排気ダクトの設置スペース等によって排気ダクトをどのように曲げて接続したり、排気ダクトをタッピングビスで強固に取付けてもシャッター７を全開姿勢とすることができ、排気ダクトの接続作業が簡単となるし、十分な排気ができる。
【００１９】
また、シャッター７が全開姿勢の時には第１突起部１９がケーシング１０の内面に接触して接触面積が小さく、シャッター７が全閉姿勢の時には第２突起部２０がケーシング１０の内面に接触して接触面積が小さい。
【００２０】
これによって、ケーシング１０の内面に油が多量に付着している場合でも、シャッター７が油によってケーシング１０内面に強い力で接着することがないので、シャッター７が開閉作動しなくなることがない。
【００２１】
第２の発明によれば、送風機２を駆動しシャッター７が全開姿勢の時には第１突起部１９が圧縮弾性変形してケーシング１０内面と平行となる。送風機２を停止すると第１突起部１９が弾性復元してシャッター７が斜めとなる。
【００２２】
これによって、送風機２を駆動して排気する時にはシャッター７が排気抵抗となることが少なく十分に排気できるし、送風機２を停止した時にはシャッター７が自重で確実に全閉姿勢となる。
【００２３】
【発明の実施の形態】
図３に示すように、送風機２のケーシング１０の吐出口３寄りにシャッター７を取付ける。具体的にはケーシング１０は図４に示すようにファン収納部１０ａと吐出口部１０ｂで形成してある。ファン収納部１０ａは円弧状板１１と相対向した一対の側板１２，１２でほぼ円筒形状で、一方の側板１２に吸込口１３が形成されている。このファン収納部１０ａにファン１４が回転自在に設けてある。
【００２４】
前記吐出口部１０ｂは、一対の側板１２，１２と連続した相対向した一対の第１板１５，１５と円弧状板１１と連続した相対向した一対の第２板１６，１６で角筒状となっている。前記一対の第１板１５，１５は相互に平行で垂直となり、前記一方の第２板１６は垂直で、他方の第２板１６は垂直に対して斜めとなっている。
【００２５】
シャッター７は図５に示すように所定の長さと幅を有する矩形の板状体であり、その長手方向の一端部７ａを円弧状に折り曲げて軸取付部１７としてある。この軸取付部１７に軸１８を取付け、その軸１８の長手方向両端部をシャッター７の幅方向両側よりも外方に突出してある。
【００２６】
前記シャッター７の長手方向の他端部７ｂには、図５と図６に示すように、一側表面７ｃよりも突出した一対の第１突起部１９，１９と他側表面７ｄよりも突出した第２突起部２０が形成してある。前記第１突起部１９の突出寸法ａは、図７に示すように前記円弧状に折り曲げた軸取付部１７の突出寸法ｂよりも大きく、第１突起部１９は軸取付部１７よりも突出している。前記第１・第２突起部１９，２０はエンボス加工等で打ち出し成形してある。
【００２７】
図４に示すように、ケーシング１０の吐出口３寄りの一対の第１板１５における一方の第２板１６寄りに軸受２１がそれぞれ取付けてあり、この各軸受２１に軸１８の長手方向両端部が回転自在に支承されてシャッター７は全閉姿勢と全開姿勢とに亘って揺動する。
【００２８】
具体的には、送風機２を停止した時にはシャッター７が自重で下方に揺動し、第２突起部２０が他方の第２板１６に接して図３の仮想線で示す全閉姿勢となる。送風機２を駆動すると吐出空気によってシャッター７が上方に揺動されて、第１突起部１９が一方の第１板１６の内面に接して図３の点線で示す全開状態となり、シャッター７は排気口５まで突出しない。
【００２９】
シャッター７が全開姿勢の時には図８に示すように第１突起部１９が垂直の一方の第２板１６の内面に接触し、軸取付部１７が一方の第２板１６の内面に接触する。しかも、第１突起部１９の突出寸法ａが軸取付部１７の突出寸法ｂよりも大きいので、シャッター７は垂直に対して全閉姿勢側に若干斜めとなり、送風機２が停止した時にシャッター７は自重で確実に全閉姿勢となる。
【００３０】
また、シャッター７が全開姿勢の時には、シャッター７の第１突起部１９が一方の第２板１６の内面に接触するので、シャッター７の一側表面７ｃが一方の第２板１６内面に接触する面積がごく僅かとなる。シャッター７が全閉姿勢の時には、シャッター７の第２突起部２０が他方の第２板１６の内面に接触するので、シャッター７の他側表面７ｄが他方の第２板１６内面に接触する面積がごく僅かとなる。
【００３１】
このようであるから、ケーシング１０の内面（一対の第２板１６の内面）に油が多量に付着して油汚れがひどい場合に、シャッター７が油によってケーシング１０の内面に接着して開閉されなくなることを防止できる。
【００３２】
例えば、シャッター７の一側表面７ｃが一方の第２板１６の内面に均一に接触すると、その接着面積が著しく大であるから、一方の第２板１６の内面に多量の油が付着している場合に、その油によってシャッター７が一方の第２板１６の内面に強い力で付着し、送付機２を停止してもシャッター７が全閉姿勢にならないことがある。
【００３３】
図９に示すように、第１突起部１９と第２突起部２０は尖端形状の突片状としても良い。また、軸取付部１７はシャッター７の幅方向両側一部を折り曲げた形状としても良い。
【００３４】
図１０に示すように、第１突起部１９をシャッター７の一部分を切り起してくの字状として弾性変形する形状、つまり弾性体としても良い。
【００３５】
このようにすれば、図１１に示すように送風機２の吐出した空気によって全開姿勢となった時に、第１突起部１９が風圧によって圧縮弾性変形してシャッター７が一方の第２板１６と平行となるので、シャッター７が吐出空気の抵抗となることが著しく低減する。
【００３６】
また、送風機２を停止した時には第１突起部１９が弾性復元して図１２に示すようにシャッター７が一方の第２板１６に対して斜めとなるので、自重で確実に全閉姿勢となる。
【００３７】
以上の説明では第１突起部１９と第２突起部２０を一体的に設けたが、第１・第２突起部１９，２０をシャッター７とは別体として成形し、接着剤、ビス等でシャッター７に取付けても良い。
【００３８】
次に本発明の第２の実施の形態を説明する。
図１３と図１４に示すように、ケーシング１０の吐出口部１０ｂの１つの内面、例えば一方の第２板１６を外側に向けてほぼコ字状としてファン取付部１０ａの円弧状板１１の内面よりも外方に突出したシャッター収納凹部３０を形成する。このシャッター収納凹部３０内にシャッター７を取付け、シャッター７が全閉姿勢の時にシャッター７がシャッター収納凹部３０を覆ってケーシング１０の１つの内面（円弧状板１１の内面）よりも内側に突出しないようにしてある。好ましくは面一としてある。
【００３９】
このようにすることで、シャッター７がケーシング１０の１つの内面を形成するから、空気の流通抵抗とならずに空気をスムーズに突出することができる。
【００４０】
なお、この実施の形態におけるシャッター７を前述のように第１・第２突起部１９，２０を有するものとしても良いことは勿論である。
【００４１】
【発明の効果】
第１の発明によれば、シャッター７が送風機２のケーシング１０に取付けてあるから、そのシャッター７が全開姿勢となった時に排気ダクト接続部に突出することがない。
【００４２】
これにより、排気ダクトを極端に曲げて取付けてもシャッター７が排気ダクトに干渉することがないし、排気ダクトの接続用のタッピングネジの先端部とシャッター７が干渉することがない。
【００４３】
したがって、排気ダクトの設置スペース等によって排気ダクトをどのように曲げて接続したり、排気ダクトをタッピングビスで強固に取付けてもシャッター７を全開姿勢とすることができ、排気ダクトの接続作業が簡単となるし、十分な排気ができる。
【００４６】
また、シャッター７が全開姿勢の時には第１突起部１９がケーシング１０の内面に接触して接触面積が小さく、シャッター７が全閉姿勢の時には第２突起部２０がケーシング１０の内面に接触して接触面積が小さい。
【００４７】
これによって、ケーシング１０の内面に油が多量に付着している場合でも、シャッター７が油によってケーシング１０内面に強い力で接着することがないので、シャッター７が開閉作動しなくなることがない。
【００４８】
第２の発明によれば、送風機２を駆動しシャッター７が全開姿勢の時には第１突起部１９が圧縮弾性変形してケーシング１０内面と平行となる。送風機２を停止すると第１突起部１９が弾性復元してシャッター７が斜めとなる。
【００４９】
これによって、送風機２を駆動して排気する時にはシャッター７が排気抵抗となることが少なく十分に排気できるし、送風機２を停止した時にはシャッター７が自重で確実に全閉姿勢となる。
【図面の簡単な説明】
【図１】従来例のレンジフードの正面図である。
【図２】排気ダクト接続部の拡大断面図である。
【図３】本発明の第１の実施例を示すレンジフードの一部破断正面図である。
【図４】送風機のケーシングのみを示す斜視図である。
【図５】シャッターの斜視図である。
【図６】図５のＡ−Ａ断面図である。
【図７】図５のＢ−Ｂ断面図である。
【図８】シャッターの動作説明図である。
【図９】シャッターの他の第１例を示す斜視図である。
【図１０】シャッターの他の第２例を示す斜視図である。
【図１１】シャッターの動作説明図である。
【図１２】シャッターの動作説明図である。
【図１３】本発明の第２の実施の形態を示すレンジフードの一部破断正面図である。
【図１４】シャッター取付部の拡大断面図である。
【符号の説明】
１…フード体
２…送風機
３…吐出口
５…排気口
６…排気ダクト
７…シャッター
９…タッピングビス
９ａ…先端部
１０…ケーシング
１０ａ…ファン収納部
１０ｂ…吐出口部
１１…円弧状板
１５…第１板
１６…第２板
１７…軸取付部
１８…軸
１９…第１突起部
２０…第２突起部
３０…シャッター収納凹部
【図１】
0003799734.tif 000002
【図２】
0003799734.tif 000003
【図３】
0003799734.tif 000004
【図４】
0003799734.tif 000005
【図５】
0003799734.tif 000006
【図６】
0003799734.tif 000007
【図７】
0003799734.tif 000008
【図８】
0003799734.tif 000009
【図９】
0003799734.tif 000010
【図１０】
0003799734.tif 000011
【図１１】
0003799734.tif 000012
【図１２】
0003799734.tif 000013
【図１３】
0003799734.tif 000014
【図１４】
0003799734.tif 000015